(57)【要約】【課題】クロマキー合成に係る表現力を向上させることが可能な画像処理装置及び画像処理方法を提供する。【解決手段】第１画像を構成する各画素の色と所定の第１設定色とを比較し、当該第１設定色に該当する画素を検出する検出手段と、前記検出手段が検出した画素部分の画像を、他の画像に置換する置換手段と、前記検出手段が検出した画素部分の透過率を、前記第１設定色に対応する第１透過率に設定する透過率設定手段と、前記置換手段で置換された前記第１画像を、前記透過率設定手段で設定された前記第１透過率で第２画像に合成する画像合成手段と、を備える。【選択図】図２
2013232770.tif 000002
【特許請求の範囲】
【請求項１】
第１画像を構成する各画素の色と所定の第１設定色とを比較し、当該第１設定色に該当する画素を検出する検出手段と、
前記検出手段が検出した画素部分の画像を、他の画像に置換する置換手段と、
前記検出手段が検出した画素部分の透過率を、前記第１設定色に対応する第１透過率に設定する透過率設定手段と、
前記置換手段で置換された前記第１画像を、前記透過率設定手段で設定された前記第１透過率で第２画像に合成する画像合成手段と、
を備える画像処理装置。
【請求項２】
前記第１設定色と、当該第１設定色に対応する前記第１透過率との組を一又は複数組記憶する記憶手段を更に備え、
前記検出手段は、前記記憶手段に記憶された前記第１設定色の何れかに該当する画素を、前記第１画像から検出する請求項１に記載の画像処理装置。
【請求項３】
前記置換手段は、前記検出手段が検出した画素部分の色を、前記第１設定色に対応する第２設定色に置換する請求項１又は２に記載の画像処理装置。
【請求項４】
前記透過率設定手段は、前記検出手段が検出した画素以外の他の画素部分の透過率を、非透過又は所定の第２透過率に設定する請求項１〜３の何れか一項に記載の画像処理装置。
【請求項５】
前記画像合成手段で前記第１画像が合成された前記第２画像を出力する出力手段を更に備える請求項１〜４の何れか一項に記載の画像処理装置。
【請求項６】
検出手段が、第１画像を構成する各画素の色と所定の第１設定色とを比較し、当該第１設定色に該当する画素を検出する検出工程と、
置換手段が、前記検出工程で検出された画素部分の画像を、他の画像に置換する置換工程と、
透過率設定手段が、前記検出工程で検出された画素部分の透過率を、前記第１設定色に対応する第１透過率に設定する透過率設定工程と、
画像合成手段が、前記置換工程で置換された前記第１画像を、前記透過率設定工程で設定された前記第１透過率で、第２画像に合成する画像合成工程と、
を含む画像処理方法。
【発明の詳細な説明】
【技術分野】
【０００１】
本発明の実施形態は、画像処理装置及び画像処理方法に関するものである。
【背景技術】
【０００２】
従来、画像合成に係る技術の一つとして、画像中に含まれた特定の色（例えば緑色等）の部分を、他の画像に置換するクロマキー技術が知られている。
【先行技術文献】
【特許文献】
【０００３】
【特許文献１】特許２９９９５０１号公報
【発明の概要】
【発明が解決しようとする課題】
【０００４】
しかしながら、従来のクロマキー技術では、画像の透過率を表すアルファ値については何ら考慮されておらず、置き換え対象の画像がそのまま合成されることになるため、任意の透過率で合成することができないという問題があった。
【課題を解決するための手段】
【０００５】
実施の形態の画像処理装置は、検出手段と、置換手段と、透過率設定手段と、画像合成手段とを備える。検出手段は、第１画像を構成する各画素の色と所定の第１設定色とを比較し、当該第１設定色に該当する画素を検出する。置換手段は、検出手段が検出した画素部分の画像を、他の画像に置換する。透過率設定手段は、検出手段が検出した画素部分の透過率を、第１設定色に対応する第１透過率に設定する。画像合成手段は、置換手段で置換された第１画像を、透過率設定手段で設定された第１透過率で第２画像に合成する。
【図面の簡単な説明】
【０００６】
【図１】図１は、本実施形態に係るテレビ受信装置の構成を模式的に示す図である。
【図２】図２は、本実施形態に係る画像合成部の構成例を模式的に示す図である。
【図３】図３は、図２に示したクロマキーテーブルの一例を示す図である。
【図４】図４は、図２に示した合成設定テーブルの一例を示す図である。
【図５】図５は、本実施形態の画像合成部が行う画像合成処理の手順を示すフローチャートである。
【図６】図６は、画像合成処理の動作を説明するための図である。
【図７】図７は、本実施形態に係る画像合成部の他の構成例を示す図である。
【発明を実施するための形態】
【０００７】
以下、図面を参照して、本発明に係る画像処理装置及び画像処理方法の実施の形態について詳細に説明する。なお、本実施形態では、本発明に係る画像処理装置及び画像処理方法を、テレビ番組の受信及び視聴機能を有するテレビ受信装置に適用した例について説明するが、この装置に制限するものではない。
【０００８】
図１は、本実施形態に係るテレビ受信装置１００の構成を模式的に示す図である。同図に示すように、テレビ受信装置１００は、テレビ信号受信部１０と、音声出力部２０と、映像出力部３０と、バス４０と、制御部５０と、リモートコントローラ６０とを備えている。
【０００９】
テレビ信号受信部１０は、アナログ放送や地上波等のデジタル放送をテレビ信号として受信するためのアンテナ１１と、後述する選局制御部５１の制御に従い放送局（チャンネル）の選局を行うチューナ部１２と、テレビ信号を復調しデジタルの映像信号として、バス４０を介し制御部５０に出力する信号処理部１３とを有している。なお、「映像信号」は、静止画像や動画像等の画像信号と、音声信号とを含むものとする。
【００１０】
音声出力部２０は、音声処理部２１と、スピーカ２２とを有している。音声処理部２１は、制御部５０の制御の下、テレビ信号受信部１０から出力されたデジタルの音声信号を、スピーカ２２で再生可能なフォーマットのアナログの音声信号に変換し、スピーカ２２へ出力する。スピーカ２２は、音声処理部２１から入力される音声信号を音声出力する。
【００１１】
映像出力部３０は、ディスプレイドライバ３１と、画像表示部３２とを有する。ディスプレイドライバ３１は、制御部５０の制御の下、テレビ信号受信部１０で受信された映像信号（出力映像）の表示を制御する。また、画像表示部３２は、液晶パネルやプラズマパネル、ＯＬＥＤ（Organic  Light-Emitting  Diode）パネル等の表示デバイスであって、ディスプレイドライバ３１の制御に従い画像信号に応じた画像を表示する。
【００１２】
テレビ信号受信部１０、音声出力部２０及び映像出力部３０は、バス４０を介して制御部５０と接続されており、制御部５０の制御に従って動作する。
【００１３】
制御部５０は、マイクロプロセッサ、ＲＯＭ及びＲＡＭ等により構成され、テレビ受信装置１００の動作を統括的に制御する。また、制御部５０は、選局制御部５１と、画像合成部５２とを備えている。
【００１４】
選局制御部５１は、リモートコントローラ６０から送信される指示信号を受信可能なリモートコントローラ応答部５１１を有している。選局制御部５１は、リモートコントローラ応答部５１１を介し、特定のチャンネルを指定する選局信号を受け付けると、この指定されたチャンネルを選局するようチューナ部１２を制御する。これにより、視聴者から指定されたチャンネルの音声及び映像が、音声出力部２０及び映像出力部３０から出力されることになる。
【００１５】
画像合成部５２は、テレビ信号受信部１０で受信された映像信号に、所定の画像や映像（以下、グラフィックスという）を合成する画像処理装置として機能する。画像合成部５２は、テレビ信号受信部１０で受信された映像信号と、グラフィックスとを入力とし、当該映像信号にグラフィックスをクロマキー合成（以下、単に合成ともいう）した映像信号を、出力映像として映像出力部３０に出力する。なお、グラフィックスの入力元は特に問わず、テレビ受信装置１００が具備するグラフィックス生成部（図示せず）で生成されたグラフィックスが入力される形態としてもよいし、テレビ受信装置１００に接続される外部装置（図示せず）から入力される形態としてもよい。
【００１６】
図２は、本実施形態に係る画像合成部５２の構成例を模式的に示す図である。同図に示すように、画像合成部５２は、クロマキー検出部５２１と、第１セレクタ部５２２と、第２セレクタ部５２３と、合成処理部５２４とを備える。
【００１７】
また、画像合成部５２は、フラッシュメモリ等の図示しない記憶媒体にクロマキーテーブル５２５と、合成設定テーブル５２６とを有する。クロマキーテーブル５２５は、クロマキーの背景色（キーの色）となる色を定めたテーブルであって、ＲＧＢ値等の色を表す値が設定されている。
【００１８】
図３は、クロマキーテーブル５２５の一例を示す図である。同図に示すようにクロマキーテーブル５２５には、各設定値を識別するための設定ＩＤと、特定の色を表す値とが関連付けて格納されている。なお、本実施形態では、１６進数のＲＧＢ値で色を表す形態としたが、これに限らず、ＹＵＶ値等の他のフォーマットを用いて色を表してもよい。また、クロマキーテーブル５２５に設定される色数は特に問わず、一又は互いに異なる複数の色であってもよい。また、図３に示すように、ＲＧＢの各値に上限及び下限を設ける等により、互いに異なる色の範囲を定める形態としてもよい。
【００１９】
合成設定テーブル５２６には、クロマキーテーブル５２５に設定された各色に対応する合成条件が設定されている。ここで、合成条件は、置き換えの対象となる画像や色、合成時の透過率等の設定情報であって、クロマキーテーブル５２５に設定された色毎に予め定められているものとする。
【００２０】
図４は、合成設定テーブル５２６の一例を示す図である。同図に示すように、合成設定テーブル５２６には、設定ＩＤと、置き換えの対象となる色を表す値と、合成時の透過率を表すアルファ値とが関連付けて格納されている。ここで、合成設定テーブル５２６の設定ＩＤは、クロマキーテーブル５２５に登録された設定ＩＤに対応する。なお、合成設定テーブル５２６には、任意の合成条件（設定情報）を登録することが可能であるとする。
【００２１】
図２に戻り、クロマキー検出部５２１は、画像合成部５２に入力されたグラフィックスを構成する特定の画素部分の色と、クロマキーテーブル５２５に設定された各色とを比較する。この比較の結果、グラフィックスの画素の色が、クロマキーテーブル５２５に設定された何れかの色に該当すると判定した場合、クロマキー検出部５２１は、当該画素部分をクロマキーの対象領域として検出し、該当した色の設定ＩＤと当該画素部分を指定する情報とを第１セレクタ部５２２及び第２セレクタ部５２３に通知する。
【００２２】
第１セレクタ部５２２は、クロマキー検出部５２１での検出結果に応じて、グラフィックスを構成する特定の画素部分の画像を選択的に置き換え、合成処理部５２４に出力する。具体的に、第１セレクタ部５２２は、グラフィックスを構成する画素のうち、クロマキー検出部５２１から指定された画素部分の色を、合成設定テーブル５２６の対応する設定ＩＤに関連付けられた色に置き換えて出力する。なお、クロマキー検出部５２１から指定された画素部分以外の他の画素については、当該他の画素の色を維持したまま出力する。
【００２３】
第２セレクタ部５２３は、クロマキー検出部５２１での検出結果に応じて、グラフィックスを構成する特定の画素部分の透過度（アルファ値）を選択し、選択したアルファ値に設定することを指示した指示情報を合成処理部５２４に出力する。具体的に、第２セレクタ部５２３は、クロマキー検出部５２１から指定された画素部分のアルファ値を、合成設定テーブル５２６の対応する設定ＩＤに関連付けられたアルファ値に設定することを合成処理部５２４に指示する。なお、クロマキー検出部５２１から指定された画素部分以外の他の画素については、非透過を表すアルファ値“１”に設定することを合成処理部５２４に指示する。
【００２４】
このように、上記第１セレクタ部５２２及び第２セレクタ部５２３の動作により、クロマキー検出部５２１でクロマキーが検出された画素については、合成設定テーブル５２６に設定された色及びアルファ値が選択され、クロマキーが不検出の画素については、当該画素の元来の色及びアルファ値＝１が選択される。
【００２５】
合成処理部５２４は、映像信号に対し、第１セレクタ部５２２から出力されたグラフィックスを、第２セレクタ部５２３から指示されたアルファ値でアルファブレンドし、その結果となる出力映像を映像出力部３０に出力する。ここで、合成処理部５２４は、例えば、下記式（１）を用いて、第１セレクタ部５２２で処理されたグラフィックスＧを画素単位で映像信号Ｖにアルファブレンドし、出力映像ＶＧを生成する。
ＶＧ＝（１−α）×Ｖ＋α×Ｇ      （１）
なお、「α」は第２セレクタ部５２３から指示されるアルファ値（０〜１）である。
【００２６】
そして、合成処理部５２４から映像出力部３０に出力された出力映像は、ディスプレイドライバ３１の制御により、画像表示部３２に表示される。これにより、クロマキーテーブル５２５に登録された各色に対応するグラフィックスの画素部分については、合成設定テーブル５２６に登録された合成条件で映像信号に合成され、その結果が画像表示部３２に表示される。
【００２７】
以下、図５及び図６を参照して、上記した構成のテレビ受信装置１００で行われる、グラフィックスの合成に係る動作について説明する。
【００２８】
図５は、画像合成部５２が行う画像合成処理の手順を示すフローチャートである。まず、クロマキー検出部５２１は、入力されたグラフィックスを構成する各画素の色と、クロマキーテーブル５２５に設定された各色とを画素単位で比較する（ステップＳ１１）。
【００２９】
ここで、クロマキー検出部５２１は、クロマキーテーブル５２５に設定された何れかの色に該当したグラフィックスの画素部分について、該当した色の設定ＩＤ及び当該画素部分を指定する情報を、第１セレクタ部５２２及び第２セレクタ部５２３に通知する（ステップＳ１２）。
【００３０】
第１セレクタ部５２２は、入力されたグラフィックスを構成する画素のうち、クロマキー検出部５２１から指定された画素部分の色を、合成設定テーブル５２６の対応する設定ＩＤに関連付けられた色に置き換えて出力する（ステップＳ１３）。なお、クロマキー検出部５２１から指定された画素部分以外の他の画素については、当該他の画素の色が維持されたまま出力される。
【００３１】
第２セレクタ部５２３は、クロマキー検出部５２１から指定された画素部分のアルファ値を、合成設定テーブル５２６の対応する設定ＩＤに関連付けられたアルファ値に設定することを指示した指示情報を、合成処理部５２４に出力する（ステップＳ１４）。なお、クロマキー検出部５２１から指定された画素部分以外の他の画素については、当該画素のアルファ値を１（非透過）とする指示情報が合成処理部５２４に出力される。
【００３２】
続いて、合成処理部５２４は、例えば上記式（１）を用いることで、入力された映像信号に対し、第１セレクタ部５２２から入力されたグラフィックスを、第２セレクタ部５２３から指示されたアルファ値で、画素単位でアルファブレンドする（ステップＳ１５）。そして、合成処理部５２４は、アルファブレンド後の出力映像を映像出力部３０に出力することで、画像表示部３２に表示させる（ステップＳ１６）。
【００３３】
図６は、上記画像合成処理の動作を説明するための図である。同図において、映像信号Ｖは、画像合成部５２に入力される映像信号を表し、グラフィックスＧは、画像合成部５２に入力されるグラフィックスを表す。なお、グラフィックスＧ内において、三角形状の領域Ａ１１のＲＧＢ値が（０ｘＢ９、０ｘＣ４、０ｘ２Ｆ）、Ａ１１を取り囲む矩形状の領域Ａ１２のＲＧＢ値が（０ｘ００、０ｘＦＦ、０ｘ００）、顔を表した領域Ａ１３のＲＧＢ値が（０ｘＦＦ、０ｘＦＦ、０ｘ００）、これら領域Ａ１１〜Ａ１３を除く領域Ａ１４のＲＧＢ値が（０ｘ００、０ｘ００、０ｘ００）であるとする。なお、領域Ａ１３内での目、口部分のＲＧＢ値は（０ｘ９９、０ｘ４Ｃ、０ｘ００）であるとするが、説明の便宜上、領域Ａ１３として取り扱う。
【００３４】
図６の条件において、図２及び図３に示したクロマキーテーブル５２５及び合成設定テーブル５２６を用いたとする。この場合、入力されたグラフィックスＧのうち領域Ａ１１を構成する各画素が、クロマキーテーブル５２５に設定された設定ＩＤ０３のＲＧＢ値の範囲に該当するため、クロマキー検出部５２１は、領域Ａ１１（の画素部分）をクロマキーとして検出する。また同様に、領域Ａ１２の画素部分が設定ＩＤ０２のＲＧＢ値の範囲に該当し、領域Ａ１４の画素部分が設定ＩＤ０１のＲＧＢ値の範囲に該当するため、クロマキー検出部５２１は、領域Ａ１２及び領域Ａ１４をクロマキーとしてそれぞれ検出する。
【００３５】
そして、クロマキー検出部５２１は、領域Ａ１１、Ａ１２、Ａ１４を指定する情報に、対応する設定ＩＤを関連付けた情報を、第１セレクタ部５２２及び第２セレクタ部５２３に通知する。なお、領域Ａ１３を構成する各画素については、クロマキーテーブル５２５の何れの設定値にも該当しないため、クロマキーの非対象領域として取り扱われる。
【００３６】
一方、第１セレクタ部５２２では、クロマキー検出部５２１から通知された領域Ａ１１、Ａ１２、Ａ１４について、対応する設定ＩＤに関連付けられたＲＧＢ値を合成設定テーブル５２６から読み出し、当該ＲＧＢ値に置き換える。具体的に、領域Ａ１１の各画素については、設定ＩＤ０３に関連付けられた合成設定テーブル５２６のＲＧＢ値（０ｘ４０、０ｘ８０、０ｘＣ０）に置き換える。また、同様に、領域Ａ１２の各画素については、設定ＩＤ０２のＲＧＢ値（０ｘ９Ｆ、０ｘ７２、０ｘ４３）に置き換え、領域Ａ１４の各画素については、設定ＩＤ０１のＲＧＢ値（０ｘ００、０ｘ００、０ｘ００）に置き換える。そして、第１セレクタ部５２２は、色の置き換えを施したグラフィックスＧを合成処理部５２４に出力する。なお、領域Ａ１３については、元のＲＧＢ値（０ｘＦＦ、０ｘＦＦ、０ｘ００）のまま出力される。
【００３７】
他方、第２セレクタ部５２３では、クロマキー検出部５２１から通知された領域Ａ１１、Ａ１２、Ａ１４について、対応する設定ＩＤに関連付けられたアルファ値を合成設定テーブル５２６から読み出し、これらの領域に当該アルファ値に設定することを指示した指示情報を合成処理部５２４に出力する。具体的に、第２セレクタ部５２３は、領域Ａ１１に関し、設定ＩＤ０３に関連付けられた合成設定テーブル５２６のアルファ値（０ｘ８０）に設定することを指示した指示情報を出力する。また、同様に、領域Ａ１２に設定ＩＤ０２のアルファ値（０ｘＣ０）を設定し、領域Ａ１４に設定ＩＤ０１のアルファ値（０ｘ００）を設定することを指示した指示情報を出力する。なお、領域Ａ１３については、非透過を表すアルファ値“１”（０ｘＦＦ）を設定することを指示した指示情報が出力される。
【００３８】
そして、合成処理部５２４では、映像信号に対し、第１セレクタ部５２２から出力されたグラフィックスを、第２セレクタ部５２３から指示されたアルファ値でアルファブレンドし、その結果となる出力映像を映像出力部３０に出力する。これにより、グラフィックスＧが合成された映像信号Ｖが、出力映像ＶＧとして画像表示部３２に表示される。
【００３９】
出力映像ＶＧにおいて、領域Ａ１１を構成する各画素のＲＧＢ値は置き換え後の（０ｘ４０、０ｘ８０、０ｘＣ０）であり、アルファ値は置き換え後の（０ｘ８０）となっている。また同様に、領域Ａ１２を構成する各画素のＲＧＢ値及びアルファ値は、置き換え後の（０ｘ９Ｆ、０ｘ７２、０ｘ４３）、（０ｘＣ０）となり、領域Ａ１４を構成する各画素のＲＧＢ値及びアルファ値は、置き換え後の（０ｘ００、０ｘ００、０ｘ００）、（０ｘ００）となっている。なお、領域Ａ１３を構成する各画素については、元のＲＧＢ値（０ｘＦＦ、０ｘＦＦ、０ｘ００）のままであり、アルファ値が１（０ｘＦＦ）となっている。
【００４０】
このように、本実施形態のテレビ受信装置１００によれば、上述した画像合成部５２の機能により、グラフィックスからクロマキーとして検出された画素部分の画像を他の画像に置き換え、この置き換えた画像を画素部分の色に対応する透過率で映像信号に合成する。これにより、置換の対象となった画像を任意の透過率で映像信号に合成することができるため、クロマキー合成に係る表現力を向上させることが可能となる。
【００４１】
なお、上記実施形態では、クロマキーの非対象領域となった画素部分に対し、非透過となるアルファ値“１”を固定的に設定する形態としたが、これに限らず、任意のアルファ値を設定する形態としてもよい。以下、図７を参照して、この形態について説明する。
【００４２】
図７は、本実施形態に係る画像合成部の他の構成例を示す図である。同図に示すように、画像合成部５２ａは、上述した画像合成部５２の構成と比較し、外部から第２セレクタ部５２３ａに所定のアルファ値が入力される点で図２の構成と異なっている。ここで、アルファ値の入力元は、特に問わず、画像信号に付帯されたアルファ値が当該画像信号とともに入力される形態としてもよい。また、制御部５０等に予め設定されていたアルファ値が入力される形態としてもよい。
【００４３】
第２セレクタ部５２３ａは、クロマキー検出部５２１から指定された画素部分のアルファ値を、合成設定テーブル５２６の対応する設定ＩＤに関連付けられたアルファ値に設定することを合成処理部５２４に指示する。また、第２セレクタ部５２３ａは、クロマキー検出部５２１から指定された画素部分以外の他の画素について、当該他の画素のアルファ値を、外部から入力されたアルファ値に設定することを合成処理部５２４に指示する。
【００４４】
第２セレクタ部５２３ａの動作により、クロマキー検出部５２１でクロマキーが検出された画素部分については、合成設定テーブル５２６に設定されたアルファ値が設定（選択）され、当該画素部分以外の他の画素については、外部から入力された所定のアルファ値が設定される。
【００４５】
これにより、置換の対象となった画像を任意の透過率で映像信号に合成することができるとともに、当該置換の非対象部分についても任意の透過率で表すことができるため、上記実施形態と同様に、クロマキー合成に係る表現力を向上させることができる。
【００４６】
以上、本発明の実施形態を説明したが、上記の各実施形態は、例として提示したものであり、発明の範囲を限定することは意図していない。上記の各実施形態は、その他の様々な形態で実施されることが可能であり、発明の要旨を逸脱しない範囲で、種々の省略、置き換え、変更、追加等を行うことができる。また、上記の各実施形態やその変形は、発明の範囲や要旨に含まれるとともに、特許請求の範囲に記載された発明とその均等の範囲に含まれる。
【００４７】
例えば、上記実施形態では、クロマキー合成の一例として、クロマキーテーブル５２５に設定された設定ＩＤの色に該当する画素部分の色を、合成設定テーブル５２６に設定された当該設定ＩＤの色に置き換える形態を説明したが、これに限らず、画素部分の画像自体を、他の画像に置き換える形態としてもよい。この場合、置き換え対象となる画像は、対応する設定ＩＤと関連付けて記憶しておく形態としてもよいし、任意の画像に置き換える形態としてもよい。
【００４８】
また、上記実施形態では、本発明をテレビ受信装置１００に適用した例を説明したが、適用先となる装置はこれに限らないものとする。例えば、セットトップボックスや、録画再生装置、ＰＣ（Personal  Computer）等の、画像表示部３２を内蔵又は外部に備える画像表示装置や情報処理装置等に適用する形態としてもよい。
【００４９】
また、画像合成部５２の各部（クロマキー検出部５２１、第１セレクタ部５２２、第２セレクタ部５２３及び合成処理部５２４）は、制御部５０が備えるマイクロプロセッサとＲＯＭに記憶されたプログラムとの協働により実現されるソフトウェア構成としてもよいし、専用のマイクロプロセッサ等で実現されるハードウェア構成としてもよい。
【００５０】
また、上記実施形態のテレビ受信装置１００で実行されるプログラムは、テレビ受信装置１００が備える図示しない記憶媒体に予め組み込んで提供するものとするが、これに限らず、インストール可能な形式又は実行可能な形式のファイルでフレキシブルディスク（ＦＤ）、光ディスク等のコンピュータで読み取り可能な記憶媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００５１】
また、上記実施形態のテレビ受信装置１００で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００５２】
１０…テレビ信号受信部、２０…音声出力部、３０…映像出力部、４０…バス、５０…制御部、５１…選局制御部、５２、５２ａ…画像合成部、５２１…クロマキー検出部、５２２…第１セレクタ部、５２３、５２３ａ…第２セレクタ部、５２４…合成処理部、５２５…クロマキーテーブル、５２６…合成設定テーブル、６０…リモートコントローラ、１００…テレビ受信装置
【図１】
2013232770.tif 000003
【図２】
2013232770.tif 000004
【図３】
2013232770.tif 000005
【図４】
2013232770.tif 000006
【図５】
2013232770.tif 000007
【図６】
2013232770.tif 000008
【図７】
2013232770.tif 000009